(57)【特許請求の範囲】
【請求項１】
自動販売機（１）の側方に設置される空き容器回収装置であって、
上記自動販売機（１）と同じ高さ寸法（Ｈ）の直方体状の箱体（３）を有し、該箱体（
３）の前面（３ａ）の中間高さ位置に空き容器投入用窓部（８）（８）を設けると共に上
記箱体（３）の内部空間（１０）の上記窓部（８）（８）より下方位置に、空き容器を入
れる回収かご（１４）が収納され、さらに、無線携帯端末と無線ＬＡＮ通信を行うと共に
該無線携帯端末をインターネットに接続する無線通信ユニット（２）を備え、
上記箱体（３）に蓄電池（１５）と切替器（１６）が内設され、
上記無線通信ユニット（２）は、通常使用状態では、ＡＣ電源（１３）から電力の供給
を受けて稼働し、非常時に、上記切替器（１６）によって、上記蓄電池（１５）から上記
無線通信ユニット（２）に電力を供給するように構成され、
上記箱体（３）を上記自動販売機（１）へ固着するための固定枠（１８）を備え、
２台の自動販売機（１）（１）の間に上記箱体（３）を配置して、全体の両側方乃至上
方を取り囲むように上記固定枠（１８）が設置され、
上記箱体（３）は、上記内部空間（１０）の上記窓部（８）（８）よりも上方位置に棚
板（４）が取付けられ、該棚板（４）より上の空間に、上記無線通信ユニット（２）を収
納する上部収納室（１１）が形成され、
上記無線通信ユニット（２）は、非常時に、上記蓄電池（１５）から電力を供給されて
９６時間以上にわたって稼働するようにしたことを特徴とする空き容器回収装置。
【発明の詳細な説明】
【技術分野】
【０００１】
本発明は、空き容器回収装置に関する。
【背景技術】
【０００２】
近年、スマートフォンやタブレット等の無線携帯端末を無償でインターネットに接続す
る公衆無線ＬＡＮの利用が進んでおり、駅やショッピングセンター等の公共性の高い場所
に公衆無線ＬＡＮのアクセスポイントが設置され、公衆無線ＬＡＮ対応のエリアが拡がっ
ている。
例えば、屋外にアクセスポイントを設置する場合には、太陽電池パネルを備えた屋根部
の下に、公衆無線ＬＡＮのアクセスポイントを構成する通信装置を設けた建造物ユニット
が提案されている（特許文献１参照）。
【先行技術文献】
【特許文献】
【０００３】
【特許文献１】特開２０１５−１１３６８５号公報
【発明の概要】
【発明が解決しようとする課題】
【０００４】
しかし、特許文献１記載の建造物ユニットは、それ自体が大掛かりな構造である為、設
置工事に多大なコストが掛かり、かつ、施工時間も長くかかっていた。また、太陽電池パ
ネルでは、その日の天気や日照時間等の条件によっては十分な発電量が得られないことも
あり、公衆無線ＬＡＮの通信装置を安定して稼働させるためには、ＡＣ電源を確保する必
要があった。屋外にＡＣ電源の設備がない場合、配線の引き回しに工事が必要で、多大な
手間と労力がかかるという欠点があった。
【０００５】
ところで、鉄道の駅や高速道路のＳＡ・ＰＡ、大きな商業施設等の人が多く集まる場所
には、既に飲料の自動販売機が必ずといっていいほど設置され、街中でも、店舗の軒先や
駐車場等、周辺を探せば自動販売機を容易に見つけることができる。自動販売機は、屋外
であってもＡＣ電源から電力の供給を受けられる場所に設置されており、自動販売機の近
傍（側方）には、空き容器を回収するゴミ箱（トラッシュボックス）が設置されている。
【０００６】
そこで、本発明は、安価かつ容易に設置でき、かつ、公衆無線ＬＡＮのアクセスポイン
トとして利用できる空き容器回収装置を提供することを目的とする。
【課題を解決するための手段】
【０００７】
本発明に係る空き容器回収装置は、自動販売機の側方に設置される空き容器回収装置で
あって、上記自動販売機と同じ高さ寸法の直方体状の箱体を有し、該箱体の前面の中間高
さ位置に空き容器投入用窓部を設けると共に上記箱体の内部空間の上記窓部より下方位置
に、空き容器を入れる回収かごが収納され、さらに、無線携帯端末と無線ＬＡＮ通信を行
うと共に該無線携帯端末をインターネットに接続する無線通信ユニットを備え、上記箱体
に蓄電池と切替器が内設され、上記無線通信ユニットは、通常使用状態では、ＡＣ電源か
ら電力の供給を受けて稼働し、非常時に、上記切替器によって、上記蓄電池から上記無線
通信ユニットに電力を供給するように構成され、上記箱体を上記自動販売機へ固着するた
めの固定枠を備え、２台の自動販売機の間に上記箱体を設置して、全体の両側方乃至上方
を取り囲むように上記固定枠が設置され、上記箱体は、上記内部空間の上記窓部よりも上
方位置に棚板が取付けられ、該棚板より上の空間に、上記無線通信ユニットを収納する上
部収納室が形成され、上記無線通信ユニットは、非常時に、上記蓄電池から電力を供給さ
れて９６時間以上にわたって稼働するように構成されているものである。
【発明の効果】
【０００８】
本発明の空き容器回収装置によれば、人が多く集まる場所に於て、誰でも利用できる公
衆無線ＬＡＮを提供でき、携帯電話回線の混雑を緩和することができ、かつ、街の活性化
に貢献できる。大規模な地震や台風等の災害時に、メールやインターネットでの情報伝達
手段を確保でき、安否の確認や、地震速報や避難指示等の災害危険情報の確認をすること
ができる。災害が生じた場合に、携帯電話回線が規制されて通信機能が麻痺してしまった
場合であっても、無線携帯端末が無線ＬＡＮ通信によってインターネットに繋がることで
、被災者の不安を軽減し、安心感を与えることができる。安価かつ容易に設置することが
でき、隣接する自動販売機との外観上のバランスが整って、無駄のない高さ寸法に形成で
きる。無線通信ユニットを雨や風から確実に保護することができる。箱体の前面の人の目
線の高さ位置に、広大な告知スペースを設けることができ、自動販売機で販売する飲料の
宣伝や、公衆無線ＬＡＮの存在アピールや説明、あるいは、広域避難場所のＭＡＰ等の災
害時に役立つ情報を、解り易く表示できる。
【図面の簡単な説明】
【０００９】
【図１】本発明の実施の一形態を示した正面図である。
【図２】本発明の空き容器回収装置を示す断面正面図であり、（ａ）は第１の実施例を示す断面正面図であり、（ｂ）は第２の実施例を示す断面正面図である。
【図３】電力供給を示す簡略なブロック図である。
【図４】参考例の災害時備蓄収納ボックスを示す断面正面図であり、（ａ）は第１の実施例を示す断面正面図であり、（ｂ）は第２の実施例を示す断面正面図である。
【図５】参考例の災害時備蓄収納ボックスの使用状態を示す斜視図である。
【図６】参考例の災害時備蓄収納ボックスの他の実施形態を示す斜視図である。
【発明を実施するための形態】
【００１０】
以下、実施の形態を示す図面に基づき本発明を詳説する。
図１に示すように、本発明の空き容器回収装置は、自動販売機１の側方に設置されるも
のであって、直方体状の箱体３を有している。
箱体３は、複数枚の鋼板によって構成され、自動販売機１と同じ高さ寸法Ｈに設定され
ている。例えば、２台の自動販売機１，１の間に１台の空き容器回収装置を配設し、全体
の両側方乃至上方を取り囲むように固定枠１８が設置されている。空き容器回収装置は、
自動販売機１，１に固着すると共に固定枠１８にも連結して、地震の揺れや台風の強風に
対しても転倒しないように固定されている。
【００１１】
箱体３は、ヒンジによって揺動自在に枢着された開閉扉５にて前面３ａが形成されてお
り、開閉扉５が開くことで前方に全面開口するように構成されている。箱体３の前面３ａ
（開閉扉５）の中間高さ位置には、内側に凹むように凹窪部９が形成され、凹窪部９の中
に、斜め上方へ向けて開口すると共に箱体３の内部空間１０に連通する空き容器投入用窓
部８，８が２個設けられている。箱体３は、内部空間１０の窓部８，８よりも下方位置に
、空き容器を入れる回収かご１４が収納されている。回収かご１４は、上方開口状であっ
て、複数本の針金を編んで形成したもので良く、あるいは、硬質の容器状のものであって
も良いし、袋状のものでも良い。
【００１２】
箱体３は、内部空間１０の窓部８，８よりも上方位置に棚板４が取付けられ、棚板４よ
り上の空間に、上部収納室１１が形成されている。
上部収納室１１には、無線携帯端末と無線ＬＡＮ通信を行うと共に該無線携帯端末をイ
ンターネットに接続する無線通信ユニット２を備えている。
無線通信ユニット２は、インターネット回線に接続されるルーター６と、ルーター６に
接続されるアンテナ７とを、有している。ルーター６は、先端にプラグを有する電気コー
ド１７を有し、プラグを家庭用ＡＣ電源の差込み口（コンセント）に差し込んで電力の供
給を受けている。なお、ルーター６の電気コード１７は、自動販売機１が利用しているＡ
Ｃ電源に接続すれば良い。アンテナ７は、箱体３の上面（天板）から突出し一部が露出し
ている。無線通信ユニット２は、周囲半径３０ｍの範囲にある無線携帯端末と無線ＬＡＮ
通信を行い、ルーター６を経由して、無線携帯端末をインターネットに接続するよう構成
されている。
【００１３】
図１に示すように、箱体３の前面３ａには、デジタルサイネージ（電子看板）３０が付
設されている。デジタルサイネージ（電子看板）３０は、液晶ディスプレイやＬＥＤディ
スプレイ等の表示装置から成り、例えば、「ＦｒｅｅＷｉＦｉ」や「○○○に接続せよ！
」等の文字による公衆無線ＬＡＮの存在アピールや使用の説明をしたり、広域避難場所の
ＭＡＰや避難経路、災害情報の連絡先等の災害時に役立つ情報を表示するよう構成されて
いる。デジタルサイネージ３０は、人の目線の高さ位置に合わせ、人が読み取り易く、か
つ、注目を浴び易いように配設されている。なお、デジタルサイネージ３０は、日本を訪
れる外国人の方々に向けたアプリの提供を知らせる情報を、複数の言語で表示して、日本
国内の滞在中に多国籍の人が無線ＬＡＮ通信を広く利用でき、災害に遭った場合でも、外
国人が情報から孤立しないようにしている。
【００１４】
図２（ｂ）に示すように、箱体３は、上部収納室１１に蓄電池１５と切替器１６が内設
されるも好ましい。
図３に示すように、無線通信ユニット２は、通常使用状態では、切替器１６を介してＡ
Ｃ電源１３からルーター６に、交流１００Ｖの電力の供給を受けて稼働する。大規模な地
震や台風等の災害によりＡＣ電源１３から電力の供給が得られなくなった非常時には、切
替器１６によって、蓄電池１５から無線通信ユニット２に電力を供給するように構成され
ている。無線通信ユニット２は、蓄電池１５から電力の供給を受けて、９６時間以上の長
時間にわたって稼働することができる。
【００１５】
上述した本発明の空き容器回収装置の使用方法（作用）について説明する。
図１と図２に示すように、本発明の空き容器回収装置は、自動販売機１の側方に設置さ
れ、無線通信ユニット２によって、無線携帯端末と無線ＬＡＮ通信を行って、無線携帯端
末をインターネットに接続する。無線携帯端末にてメールを送受信したり、インターネッ
ト上のウェブサイトにアクセスしようとする利用者は、空き容器回収装置の周辺に集まっ
てくるようになり、無線ＬＡＮ通信の利用時間が長くなれば長くなるほど、隣接する自動
販売機１の利用頻度が上がる利点がある。
【００１６】
箱体３は、自動販売機１と同じ高さ寸法Ｈの直方体状として、隣接する自動販売機１と
の外観上のバランスをとっており、内部空間１０の上部収納室１１は、従来は自動販売機
１に補充する在庫品の保管等に利用される、いわゆる余剰空間であったが、無線通信ユニ
ット２を収容することで、内部空間１０の上部の余剰空間を有効利用して、無駄のない高
さ寸法Ｈに形成される。即ち、自動販売機１と共に空き容器回収装置を新規に設置する場
合も、既設の空き容器回収装置に無線通信ユニット２を取付ける場合にも、設置が非常に
容易で、かつ、安価に行うことができる。
【００１７】
本発明の空き容器回収装置は、屋外の自動販売機１に隣接して設置される場合であって
も、自動販売機１が利用しているＡＣ電源から電力の供給を受けることができ、無線通信
ユニット２のための電気配線をわざわざ引き回してくる必要もなく、設置に掛かる手間と
労力を軽減する。また、箱体３は、内部空間１０（上部収納室１１）に、雨水や塵埃を浸
入させることがなく、無線通信ユニット２を長期間にわたって確実に保護する。
災害時にＡＣ電源から電力の供給を受けることができなくなった場合であっても、蓄電
池１５から無線通信ユニット２に電力を供給して、９６時間以上の長時間にわたって無線
通信ユニット２を稼働して、公衆無線ＬＡＮ通信で無線携帯端末をインターネットに接続
することが可能である。
【００１８】
次に、参考例の災害時備蓄収納ボックスについて説明する。
図４に示すように、参考例の災害時備蓄収納ボックスは、直方体状の箱体２５を有し、
図１と同様に自動販売機１と同じ高さ寸法Ｈに設定され自動販売機１の側方に設置される
ものであって良く、図６のように、自動販売機１の上に載置されていても良い。あるいは
、参考例の災害時備蓄収納ボックスは、自動販売機１とは離れた所に設置しても良い。
【００１９】
図４（ａ）に示すように、箱体２５は、内部２０に災害時備蓄品２４が収納されている
。なお、災害時備蓄品２４とは、具体的には、飲料水、食品、緊急用医薬品、ラジオ、ラ
イト、ヘルメット等である。
箱体２５は、内部２０の中間高さ位置に棚板２３が取付けられ、棚板２３より上の空間
に、上部収納室２１が形成されている。上部収納室２１に、無線携帯端末と無線ＬＡＮ通
信を行うと共に該無線携帯端末をインターネットに接続する無線通信ユニット２を備えて
いる。
【００２０】
図４（ｂ）に示すように、箱体２５の上部収納室２１に、蓄電池１５と切替器１６が内
設されるも好ましい。
図３に示すように、無線通信ユニット２は、通常使用状態では、切替器１６を介してＡ
Ｃ電源１３からルーター６に、交流１００Ｖの電力の供給を受けて稼働する。大規模な地
震や台風等の災害によりＡＣ電源１３から電力の供給が得られなくなった非常時には、切
替器１６によって、蓄電池１５から無線通信ユニット２に電力を供給するように構成され
ている。無線通信ユニット２は、蓄電池１５から電力の供給を受けて、９６時間以上の長
時間にわたって稼働することができる。
【００２１】
図５に示すように、参考例の災害時備蓄収納ボックス（空き容器回収装置）は、箱体２
５の前面２５ａに、デジタルサイネージ（電子看板）３０が付設されている。デジタルサ
イネージ（電子看板）３０は、液晶ディスプレイやＬＥＤディスプレイ等の表示装置から
成り、例えば、「ＦｒｅｅＷｉＦｉ」や「○○○に接続せよ！」等の文字による公衆無線
ＬＡＮの存在アピールや使用の説明をしたり、広域避難場所のＭＡＰや避難経路、災害情
報の連絡先等の災害時に役立つ情報を表示する。デジタルサイネージ３０は、人の目線の
高さ位置に合わせ、人が読み取り易く、かつ、注目を浴び易いように配設されている。箱
体２５の前面２５ａには、災害時備蓄品２４が収納されていることや広域避難場所のＭＡ
Ｐが表示されたステッカー（貼り札）２６が貼り付けられても良く、あるいは、裏面にマ
グネットを有する告知プレートを貼り付けても良い。なお、デジタルサイネージ３０は、
日本を訪れる外国人の方々に向けたアプリの提供を知らせる情報を、複数の言語で表示し
て、日本国内の滞在中に多国籍の人が無線ＬＡＮ通信を広く利用でき、災害に遭った場合
でも、外国人が情報から孤立しないようにしている。
【００２２】
参考例の災害時備蓄収納ボックスの使用方法（作用）について説明する。
図４に示すように、参考例の災害時備蓄収納ボックスは、無線通信ユニット２によって
、無線携帯端末と無線ＬＡＮ通信を行って、無線携帯端末をインターネットに接続する。
頻発する大きな規模の地震や、台風、集中豪雨、土砂災害等の災害によって、交通網が
寸断されたり、携帯電話回線が規制されたりして、都市機能が麻痺してしまうことが生じ
得る。この際、音声通話と比較してデータ量の少ないインターネットによるデータ通信は
、災害時における有効な上方伝達手段として利用される。即ち、本発明の災害時備蓄収納
ボックスが提供する公衆無線ＬＡＮは、災害時において、非常に有用性が高く、例えば、
家族と離れ駅に足止めされた被災者が、無線携帯端末で電話回線と通じて家族と連絡を取
ろうにも回線が混み合って繋がらない場合でも、メールで家族の安否を確認したり、イン
ターネットでＳＮＳにアクセスしたり、インターネット通話機能を利用したりすることが
でき、さらには、気象庁のウェブサイトにアクセスして、地震や気象の最新情報を確認す
ることが可能となる。つまり、参考例の災害時備蓄収納ボックスは、災害時に無線携帯端
末がインターネットに繋がることで、被災者の不安を軽減し、安心感を提供する。
【００２３】
参考例の災害時備蓄収納ボックスは、自動販売機１に隣接して設置される場合には、自
動販売機１と同じ高さ寸法Ｈの直方体状として、隣接する自動販売機１との外観上のバラ
ンスをとっており、内部２０に災害時備蓄品２４が収納されると共に、上部収納室２１に
無線通信ユニット２を備え付けて、無駄のない高さ寸法Ｈに形成される。また、無線携帯
端末にてメールを送受信したり、インターネット上のウェブサイトにアクセスしようとす
る利用者は、災害時備蓄収納ボックスの周辺に集まってくるようになり、無線ＬＡＮ通信
の利用時間が長くなれば長くなるほど、隣接する自動販売機１の利用頻度が上がる利点が
ある。無線通信ユニット２は、自動販売機１が利用しているＡＣ電源から電力の供給を受
けることができ、専用の電気配線をわざわざ引き回してくる必要もなく、設置に掛かる手
間と労力を軽減する。また、箱体２５は、内部２０（上部収納室２１）に、雨水や塵埃を
浸入させることがなく、無線通信ユニット２を長期間にわたって確実に保護する。
【００２４】
無線通信ユニット２が、災害時に、ＡＣ電源から電力の供給を受けることができなくな
った場合であっても、蓄電池１５から無線通信ユニット２に電力を供給して、９６時間以
上の長時間にわたって無線通信ユニット２を稼働して、公衆無線ＬＡＮ通信で無線携帯端
末をインターネットに接続することが可能である。ライフラインの中でも特に重要な電気
は早急に復旧が行われ、９６時間以内に電力の供給が再開した際には、切替器１６は、Ａ
Ｃ電源から無線通信ユニット２に電力を供給するように切替えて、公衆無線ＬＡＮの提供
を継続する。
【００２５】
図５に示すように、参考例の災害時備蓄収納ボックスは、箱体２５の前面２５ａに、デ
ジタルサイネージ３０が付設され、「ＦｒｅｅＷｉＦｉ」等の文字や、広域避難場所のＭ
ＡＰ等の災害時に役立つ情報を表示する。デジタルサイネージ３０は、人の目線の高さに
近い位置に貼り付けられ、読み取り易く、かつ、注目を浴びやすいように表示されており
、箱体２５の前に立つ人が、一目でデジタルサイネージ３０に気付き、情報を能率よく発
信することができる。また、箱体２５の前面２５ａに貼られたステッカー２６によって、
内部２０に災害時備蓄品２４が収納されていることを知ることができる。
【００２６】
なお、本発明は、設計変更可能であって、例えば、本発明の空き容器回収装置と自動販
売機１の配置の仕方は自由に変更できる。図１に示す固定枠１８を設けなくても良く、そ
の場合は、空き容器回収装置と自動販売機１を複数の金具で相互に連結して、空き容器回
収装置が倒れたり飛ばされたりしないように支持する。
【００２７】
以上のように、本発明に係る空き容器回収装置は、自動販売機１の側方に設置される空
き容器回収装置であって、無線携帯端末と無線ＬＡＮ通信を行うと共に無線携帯端末をイ
ンターネットに接続する無線通信ユニット２を備えたので、人が多く集まる場所に於て、
誰でも利用できる公衆無線ＬＡＮを提供でき、携帯電話回線の混雑を緩和することができ
、かつ、街の活性化に貢献できる。大規模な地震や台風等の災害時に、メールやインター
ネットでの情報伝達手段を確保でき、安否の確認や、地震速報や避難指示等の災害危険情
報の確認をすることができる。災害が生じた場合に、携帯電話回線が規制されて通信機能
が麻痺してしまった場合であっても、無線携帯端末が無線ＬＡＮ通信によってインターネ
ットに繋がることで、被災者の不安を軽減し、安心感を与えることができる。
【００２８】
また、自動販売機１の側方に設置される空き容器回収装置であって、自動販売機１と同
じ高さ寸法Ｈの直方体状の箱体３を有し、箱体３の前面３ａの中間高さ位置に空き容器投
入用窓部８，８を設けると共に箱体３の内部空間１０の窓部８，８より下方位置に、空き
容器を入れる回収かご１４が収納され、さらに、無線携帯端末と無線ＬＡＮ通信を行うと
共に無線携帯端末をインターネットに接続する無線通信ユニット２を備えたので、人が多
く集まる場所に於て、誰でも利用できる公衆無線ＬＡＮを提供でき、携帯電話回線の混雑
を緩和することができ、かつ、街の活性化に貢献できる。大規模な地震や台風等の災害時
に、メールやインターネットでの情報伝達手段を確保でき、安否の確認や、地震速報や避
難指示等の災害危険情報の確認をすることができる。災害が生じた場合に、携帯電話回線
が規制されて通信機能が麻痺してしまった場合であっても、無線携帯端末が無線ＬＡＮ通
信によってインターネットに繋がることで、被災者の不安を軽減し、安心感を与えること
ができる。安価かつ容易に設置することができ、隣接する自動販売機１との外観上のバラ
ンスが整って、無駄のない高さ寸法Ｈに形成できる。無線通信ユニット２を雨や風から確
実に保護することができる。箱体３の前面３ａの人の目線の高さ位置に、広大な告知スペ
ースを設けることができ、自動販売機１で販売する飲料の宣伝や、公衆無線ＬＡＮの存在
アピールや説明、あるいは、広域避難場所のＭＡＰ等の災害時に役立つ情報を、解り易く
表示できる。
【００２９】
また、箱体３に蓄電池１５と切替器１６が内設され、無線通信ユニット２は、通常使用
状態では、ＡＣ電源１３から電力の供給を受けて稼働し、非常時に、切替器１６によって
、蓄電池１５から無線通信ユニット２に電力を供給するように構成されているので、大規
模な地震や台風等の災害によりＡＣ電源１３から電力の供給が得られなくなった場合であ
っても、無線通信ユニット２が蓄電池１５から電力の供給を受けて９６時間以上の長時間
にわたって稼働できる。
【符号の説明】
【００３０】
１  自動販売機
２  無線通信ユニット
３  箱体
３ａ  前面
８  窓部
１０  内部空間
１１  上部収納室
１３  ＡＣ電源
１４  回収かご
１５  蓄電池
１６  切替器
１８  固定枠
Ｈ  高さ寸法
【図１】
0006738594.tif 000002
【図２】
0006738594.tif 000003
【図３】
0006738594.tif 000004
【図４】
0006738594.tif 000005
【図５】
0006738594.tif 000006
【図６】
0006738594.tif 000007